(57)【要約】      （修正有）【課題】一般家庭用掃除機の吸引力を利用した吸引器を提供する。【解決手段】１：吸引口を厚く丸みを持たせる。２：吸引力の調節機構を設ける、空気穴を調節出来る機構を設ける。吸引力の強弱を出来ればモーターの強、中、弱の切り替えスイッチも設ければ２重の調節が出来る。３：吸引口の大きさ長さの違うものを複数用意する。４：出来れば音を小さくなる様に掃除機本体の防音機構を付ける。５：軟らかいホースで長く余裕を持った長さにする。６：一般家庭用掃除機のメーカー機種の違いに関係なく、ホースを結合できる機構にする。【選択図】図１
2009095629.tif 000002
【特許請求の範囲】
【請求項１】
一般家庭の数多い種類の掃除機の吸引力を利用する為、大きさ形の違うホースにも接続できる様、太さが傾斜した筒によりサイズの違うホースと結合し、結合部全体を、弾力性（ゴム）のある素材で密閉する機構。
【請求項２】
吸引力の強弱を調整するために、吸引器の筒部に空気穴を設けこの穴を２重の筒で調節して必要な吸引力を調節する機構を持つ。
【請求項３】
吸引口は皮膚に当たる部分を厚く丸みを持たせて造り、吸引口の大きさ、長さを変えた物を複数つくり、顔部、鼻頭部、頭髪部、肩部、背部、腹部、腰部、尻部、乳部、陰部等、部位により取替えて、目的に応じて必要なサイズの物を使う。
【発明の詳細な説明】
【技術分野】
【０００１】吸引器、
【背景技術】
【０００２】市販の製品に毛穴吸引器、顔の美顔用吸引器、ヒップ、バスト、腹部の吸引器がある。
医療器具に気道の異物吸引除去器、痰、等の吸引器、がある。歯科等では、歯科の設備機器の一部として唾液の吸引器がセットになっている。
【発明の開示】
【発明が解決しようとする課題】
【０００３】１：禿げ、円形脱毛、猫毛、癌治療後の禿げ等の発毛、育毛を吸引方で解決できないか。
２：足が冷える、足が冷えるのは血液の循環が悪い状態から起こる現象です。血液は体温を運ぶ役割も担っていますが、足が冷えるのは、下がった血液が上がらない事によって起こる、血液の循環不良が原因です。
３：腰痛、肩凝りも筋肉内に疲労物質が貯まり、酸素の供給が悪い状態になると痛みを感じる。これを吸引充血して強制的に心臓の方向に引っ張る事で循環を促進できる。糖尿病の合併症で、足が壊死する病気で足を切断する等の治療があります。
血糖値の高い血液はどろどろ血液で血流の循環不良から起こります。吸引マッサージで血液の循環を促進できないか？  実験をしました。
問題点、
１：掃除機の吸引口では肌に接触させると、皮膚との接点が薄い筒状なので痛い事。
２：吸引力は強力で部位によっては吸引力の調節が必要である事。
３：部位によっては吸引口の大きさを変えなければ有効に使えない事。
４：音が大きい事。
５：掃除機本体が熱を持って１５分位で停止する事。
６：ホースが短い事。
７：ホースが硬い事。
【課題を解決するための手段】
【０００４】１：吸引口を厚く丸みを持たせる。
２：吸引力の調節機構を設ける事。吸引力の強弱を出来ればモーターの強、中、弱の切り替えスイッチも設ければ尚よい。
３：吸引口の大きさ長さの違うものを複数用意する。
４：出来れば音を小さくなる様に掃除機本体の防音機構を付ける。
５：軟らかいホースで長く余裕を持った場がさにする、
６：一般家庭用掃除機のメーカー機種の違いに関係なく、ホースを結合できる機構にする。
【発明の効果】
【０００５】吸引力を利用したマッサージは、ガラスのコップ（専用のコップ）を用いて、腰痛、肩こりの治療方法がある。コップの中の空気を蝋燭で暖め、背中、腰等に当てる方法ですが、熱した空気の収縮により、コップ内の気圧が低下して血液が充血します。充血させる事で効果があるとされています。
本発明の方法は機械的に空気を吸引することで、患部、この場合頭髪部、顔、肩、腰等に密着させると、吸引口内部の気圧が下がる事により充血が起こります。充血が起こる事は同じであるが、掃除機吸引の場合は空気が入っても連続的に吸引力が維持できるところが違う。吸引力を維持できる事によって、吸引充血した部位を移動させる事ができる。移動させる事によって、充血した血液をより大きな静脈の方向、に強制的に移動する事ができる。皮膚表面は血管系統の末端に位置しますから、より大きな静脈の方向に充血した血液を移動させる事により、血液の循環を強制的に行う事ができます。移動させる事により患部全体（皮膚表面）を充血させる事と同じ効果を得る事ができます。充血させる事は毛細血管を拡張する事になりますので、血液の循環がより活発になります。掃除機の吸引力を使って、頭皮を充血させ、充血した部分を強制的に移動させる方法で発毛実験を重ねてきました。
１：頭髪（３４歳、男性）前頭部の禿げでは３ケで細い毛の発毛が確認できました。本人が認識出来る変化が現れるのは５ケ月以上が必要です。これは本人の場合、毎日自分が、自分の患部を見る事により記憶自体が修正されてしまう事から起こります。月１度位しか会わない第三者が見ると、３ケ月で変化に気づきますが、毎日会っている家族、或いは、会社の同僚でも記憶の修正が起こりますから気づきません。始めに詳細な写真を記録しておけば確認が正確に成ると思います。
実験の結果では、年齢によって効果は大きく異なる様です。７０代、８０代では５ケ月でも変化が確認できませんでした。
円形脱毛では、（２０代）早い発毛が確認できました。ペニスの勃起は極めて単純で２０秒位で勃起します。
２：目袋（目の下の膨らみ）（６３歳、男性）の膨らんだ状態は、１ヶ月もしないでふくらみが減少しました。
３：腹部の脂肪吸引マッサージ、体重の減少はあったが、明確に吸引の効果とはいえない。
【発明を実施するための最良の形態】
【０００６】本発明は一般掃除機のホース部分から先だけを作って安価に出来る事を優先的に考えていますが。理想的には、掃除機本体も防音装置を強化して作るのがよい。
吸引力の調節も、一般掃除機では３段階、強、中、弱、になっているが。このスイッチを吸引口の近くハンドルに付けるのが理想的である。
モーターの強、中、弱と、空気調節機構を手元に付ければより調節が小まめに出来て使い勝手はよくなる。
【実施例】
【０００７】毛穴吸引器、顔用、体用、等の美容的吸引器具がある。
医療機器として、異物などによる気道閉塞が発生した場合に異物除去器具、鼻水、唾液用等の吸引器具がある。
掃除機の吸引力を利用した吸引マッサージ器はない。掃除機の吸引力を利用した物では、布団圧縮袋は掃除機を利用している。
【産業上の利用可能性】
【０００８】本発明では、育毛、発毛、全身マッサージ、顔マッサージ、毛穴の皮脂吸引、ペニスの吸引勃起、乳首の吸引、バスト吸引拡大、ヒップ吸引拡大、腹部の脂肪吸引、足部の吸引マッサージ等、全身吸引美容器具として利用できる。ホースから先の部分だけを造る事により極めて安価に提供できる。掃除機の有効利用が最大の特徴である。
【図面の簡単な説明】
【０００９】
【図１】吸引器全体の平面図。
【図２】オイル、クリーム止め筒の図。
【図３】オイル、クリーム止め筒の斜視図。
【図４】吸引口とオイル、クリーム止めの関係を示す平面図。
【図５】空気調節機構平面図。
【図６】空気調節機構の筒の斜視図。
【図７】空気調節機構の本体の穴部斜視図。
【図８】吸引口の小さい物の平面図。
【図９】吸引口の小さい物の平面図。
【図１０】吸引口の大きい物の平面図。
【図１１】吸引口の大きく長い物の平面図。
【図１２】吸引口図。掃除機との接合部関係平面図。
【図１３】掃除機との接合部、図１２の８の平面図。
【図１４】掃除機との接合部、図１２の８の斜視図。
【符号の説明】
【０００１０】符号１は  掃除機との接続ホース部分の図、柔軟性のある蛇腹構造のホース。
符号２は  空気密閉蓋兼掃除用。
符号３は  ハンドル部分の平面図。
符号４は  吸引口部分の本体部分の空気穴の部分の図。
符号５は  吸引口の図、図１、図８、図９、図１０，図１１も同じ、吸引口のサイズ違いを示す平面図。
符号６は  吸引口の中に取り付けて、オイルクリームを止める筒の平面図。
符号７は  掃除機と吸引器を繋ぐホースとを連結する部分、図１の１と繋ぐ部分の図。
符号８は  掃除機側の大きさの違うホースと連結する筒を示す。図１３の８、図１４の８は斜視図。
符号９は  符号７、に密着した伸縮性の材質（ゴム）製、の筒の平面図。
符号１０は  ゴム、又はマジックテープで、符号９を縛る、平面図。
【図１】
2009095629.tif 000003
【図２】
2009095629.tif 000004
【図３】
2009095629.tif 000005
【図４】
2009095629.tif 000006
【図５】
2009095629.tif 000007
【図８】
2009095629.tif 000008
【図１０】
2009095629.tif 000009
【図１２】
2009095629.tif 000010
【図１３】
2009095629.tif 000011
【図１４】
2009095629.tif 000012
【手続補正書】
【提出日】平成19年12月25日(2007.12.25)
【手続補正１】
【補正対象書類名】図面
【補正対象項目名】図５
【補正方法】変更
【補正の内容】
【図５】
2009095629.tif 000013
【手続補正２】
【補正対象書類名】図面
【補正対象項目名】図６
【補正方法】変更
【補正の内容】
【図６】
2009095629.tif 000014
【手続補正３】
【補正対象書類名】図面
【補正対象項目名】図７
【補正方法】変更
【補正の内容】
【図７】
2009095629.tif 000015
【手続補正４】
【補正対象書類名】図面
【補正対象項目名】図８
【補正方法】変更
【補正の内容】
【図８】
2009095629.tif 000016
【手続補正５】
【補正対象書類名】図面
【補正対象項目名】図９
【補正方法】変更
【補正の内容】
【図９】
2009095629.tif 000017
【手続補正６】
【補正対象書類名】図面
【補正対象項目名】図１０
【補正方法】変更
【補正の内容】
【図１０】
2009095629.tif 000018
【手続補正７】
【補正対象書類名】図面
【補正対象項目名】図１１
【補正方法】変更
【補正の内容】
【図１１】
2009095629.tif 000019